(57)【要約】【課題】可搬性を損なうことなく、立位の架台に装着しても最適な撮影を可能とする電子カセッテを提供することにある。【解決手段】本発明の電子カセッテは把手に変形又は移動手段又は着脱手段を設けたことにより、可搬性を損なうことなく、立位架台に装着しても操作性の優れた撮影が可能となる。また、把手に変形又は移動手段又は着脱手段を設け、更には顎受け手段を備えたので、立位撮影で更に優れた操作性の良い撮影が可能となる。【選択図】　　　　図１
2004077641.tif 000002
【特許請求の範囲】
【請求項１】
半導体センサを使用した放射線画像撮影用電子カセッテにおいて、四角形の放射線センサ手段と、前記センサ手段のセンサ面を取り囲むよう配置される筐体と、前記筐体の一辺側に配置された把手から構成され、前記把手が筐体に対して変形又は移動手段又は着脱手段を有することを特徴とする電子カセッテ。
【請求項２】
把手は、筐体の辺の短手方向後方に退避する手段を有することを特徴とする請求項１に記載の電子カセッテ。
【請求項３】
把手は、筐体の辺の長手方向に移動する手段を有することを特徴とする請求項１に記載の電子カセッテ。
【請求項４】
半導体センサを使用した放射線画像撮影用電子カセッテにおいて、四角形の放射線センサ手段と、前記センサ手段のセンサ面を取り囲むよう配置される筐体と、前記筐体の一辺側に配置された把手から構成され、前記把手を筐体に対して変形又は移動又は着脱することにより、顎受け手段が備わることを特徴とする電子カセッテ。
【請求項５】
把手は、筐体の辺の短手方向後方に退避する手段を有し、前記把手の退避する前の位置に顎受け手段を備えることを特徴とする請求項２に記載の電子カセッテ。
【請求項６】
把手は、筐体の辺の長手方向に移動する手段を有し、前記把手の移動する前の位置に顎受け手段を備えることを特徴とする請求項４に記載の電子カセッテ。
【請求項７】
把手は、筐体に対し移動することにより顎受手段となることを特徴とする請求項４に記載の電子カセッテ。
【請求項８】
把手は、柔軟構造の材質であって、前記把手の穴を塞ぐ方向に圧力を加えることにより顎受け手段となることを特徴とする請求項４に記載の電子カセッテ。
【発明の詳細な説明】
【０００１】
【発明の属する技術分野】
本発明は可搬性を有する放射線画像撮影用電子カセッテに関するものである。
【０００２】
【従来の技術】
従来から、対象物に放射線を照射し、対称物を透過した放射線の強度分布を検出して対象物の放射線画像を得る装置が、工業用の非破壊検査や医療診断の場で広く一般に利用されている。このような撮影の一般的な方法としてはＸ線に対するフィルム／スクリーン方が挙げられる。これは感光性フィルムと、Ｘ線に対して感度を有している蛍光体を組合せて撮影する方法である。Ｘ線を照射すると発光する希土類の蛍光体をシート状にしたものを感光性フィルムの両面に密着して保持し、被写体を透過したＸ線を蛍光体で可視光に変換し、感光性フィルムで光を捉える。フィルム上に形成された潜像を化学処理で現像することで可視化することができる。
【０００３】
一方、近年のデジタル技術の進歩により、放射線画像を電気信号に変換し、この電気信号を画像処理した後に、可視画像としてＣＲＴ等に再生することにより高画質の放射線画像を得る方式が求められてきている。このような放射線画像を電気信号に変換する方法としては、放射線の透過画像をいったん蛍光体中に潜像として蓄積して、後にレーザー光等の励起光を照射することで潜像を光電的に読み出し可視像として出力する放射線画像記録再生システムが提案されている。（特開昭５５−１２４２９号、同５６−１１３９５号など）
【０００４】
また、近年の半導体プロセス技術の進歩に伴い、半導体センサを使用して同様に放射線画像を撮影する装置が開発されている。これらのシステムは、従来の感光性フィルムを用いる放射線写真システムと比較して非常に広いダイナミックレンジを有しており、放射線の露光量の変動に影響されない放射線画像を得ることができる実利的な利点を有している。同時に従来の感光性フィルム方式と異なり化学処理が要らず、即時的に出力画像を得ることができる利点もある。
【０００５】
図１７はこのような放射線画像撮影装置を用いたシステムを示す概念図である。１０３はＸ線検出センサ１０４を内蔵したＸ線画像撮影装置である。Ｘ線発生装置１０１によって発せられたＸ線を被写体１０２に照射し、被写体を透過したＸ線を二次元の格子状に配列した光電変換素子によって検出する。この検出手段から出力される画像信号を画像処理手段１０７でデジタル画像処理し、モニタ１０８に前記被写体のＸ線画像を表示する。
【０００６】
従来、この種の撮像装置は、放射線室に設置され利用されてきた。しかし、近年、より迅速かつ広範囲な部位の撮影を可能にするため、操作性の優れた電子カセッテと称する可搬型の撮影装置が求められるようになってきた。
【０００７】
図１６に示す側面断面図に基づき概略の構成を説明するとこのようなＸ線撮影などに用いる電子カセッテは、Ｘ線を可視光に変換する蛍光体５１ａと、この可視光を電気信号に変換する格子状に配列された光電変換素子５１ｂと、この光電変換素子をその上に形成した基板５１ｃと、この基板５１ｃを支持する基台５２と、光電変換された電気信号を処理する電子部品を搭載した回路基板５３及び配線５４と、これらを収納する筐体５５と前記光電変換素子５１ｂと回路基板５３に電源を供給する電源回路６０と電源用配線６１などから構成されている。電源回路の具体的な構成としては、バッテリとＤＣ／ＤＣ電源回路からなる構成あるいは　図示していない電源ケーブルで所定電圧を外部から供給してＤＣ／ＤＣ電源で各種電圧を生成する方法などがある。
【０００８】
【発明が解決しようとする課題】
このような電子カセッテは可搬性を考慮し、把手を具備した形態が望まれる。把手を装備することで、カセッテの搬送や、カセッテの設置状態を変更したりする操作を行うことが容易になる。また、一方では、より広範囲な部位の撮影を可能にするため、１台のカセッテを立位、臥位を含めた種々の架台に装着する形態も望まれる。
【０００９】
立位の架台に装着して撮影する際は把手が障害になってはならないことと、顎受けが具備されていることが望ましい。
【００１０】
本発明の目的は、可搬性を損なうことなく、立位や臥位の架台に装着しても最適な撮影を可能とする電子カセッテを提供することにある。
【００１１】
【課題を解決するための手段】
上記目的を達成するための本発明に係る電子カセッテは、半導体センサを使用した放射線画像撮影用電子カセッテにおいて、四角形の放射線センサ手段と、前記センサ手段のセンサ面を取り囲むよう配置される筐体と、前記筐体の一辺側に配置された把手から構成され、前記把手が筐体に対して変形又は移動手段又は着脱手段を有することを特徴とする。
【００１２】
また、本発明に係る電子カセッテは、半導体センサを使用した放射線画像撮影用電子カセッテにおいて、四角形の放射線センサ手段と、前記センサ手段のセンサ面を取り囲むよう配置される筐体と、前記筐体の一辺側に配置された把手から構成され、前記把手を筐体に対して変形又は移動又は着脱することにより、顎受け手段が備わることを特徴とする
【００１３】
【発明の実施の形態】
本発明を図１〜図１５に示される実施の形態に基づいて詳細に説明する。
図１〜図４は本発明の第１の実施の形態である電子カセッテである。図１、図２は実施の形態の平面図であり、図３は側面図である。図４は電子カセッテを立位架台に装着する状態を説明する図である。
【００１４】
図１において、１は電子カセッテ、１ａは電子カセッテの撮影面、１ｂは電子カセッテの筐体、２は電子カセッテ１の上辺に移動可能に取り付いた把手である。把手２は、図２と図３に示すように、筐体１ｂの上辺より撮影面１ａの裏側に退避可能に取付けられている。電子カセッテ１を単独で撮影するときや搬送するときには図１に示す把手２を使用する。
【００１５】
図４は電子カセッテ１を立位架台３に装着した例である。そのときは、把手２が筐体１ｂの上辺より退避する。立位撮影に際して、顔が筐体１ｂの上辺中央部に位置したとき、把手２が邪魔にならず撮影ができる。
【００１６】
図５は第２の実施の形態であって、把手２が筐体１ｂの辺の中央部より長手方向に移動可能に備えてある。この場合においても把手２が立位撮影の障害にならないため容易に撮影が可能となる。
【００１７】
図６、７、８は第３の実施の形態であって、図６、７が電子カセッテ１の平面図、図８が図６の側面図である。図６に示すように、把手２の取り付けてある筐体１ｂの上辺部に顎受け４を備えたものである。図７、８に示すように把手２は筐体１ｂの上辺中央部より撮影面１ａの裏側に退避可能に取付られている。
【００１８】
図９は第４の実施の形態であって、把手２の取り付けてある筐体１ｂの上辺部に顎受け４を備え、把手２は筐体１ｂの上辺中央部より長手方向に移動可能に備えてある。実施の形態４、５においては、立位架台に装着するとき、把手２を筐体１ｂの上辺中央部より移動して顎受け４に顎をのせられるので、被験者が安定した状態で撮影することが出来る。また、顎受け４を把手２のすぐ真下に備えてあるので、顎受け４のへこみ部と把手２の隙間を大きくとれる分把手２の高さ寸法を低くすることが出来る。
【００１９】
図１０、１１は、第５の実施の形態であって、図１０において、把手２の両側面にアーム５が取付てある。アーム５の根本は筐体１ｂの上辺に固定されていて、直角に曲げた先端部が把手２の両側面に形成された丸穴に嵌合している。把手２は両側面のアーム５を軸として回転可能に出来ていて、１８０°回転すると顎受け形状が形成されている。図１１は、把手２を１８０°回転した状態を示しており、１８０°回転することにより把手２が顎受けとして使用可能となる。
【００２０】
図１２、１３は、第６の実施の形態であって、図１２が電子カセッテ１に把手２が取り付けてある状態を示している。把手２は、電子カセッテ１に対して着脱可能に備えられており、把手２の反対面が顎受けとして使用可能な形状に形成されている。
【００２１】
図１３は、把手２を電子カセッテ１から装脱し、図１２の把手２の位置を１８０°ひっくりかえして電子カセッテ１に装着した状態を示している。把手２を電子カセッテ１から着脱して位置を換えることにより、顎受けとして使用可能である。
【００２２】
図１４、１５は第７の実施の形態であって、図１４において、２は織物繊維、プラスチック等の柔軟な材質を使用した把手である。把手２は両端側で筐体１ｂに設けた支柱６に固定されている。この把手２に上部より力を加えることにより、図１５に示すように把手２がつぶれて筐体１ｂの上辺に当たり顎受け形状を形成する。把手２を顎受けとして使用可能としたことにより、可搬性を損なうことなく立位撮影においても操作性の良い撮影が可能となる。
【００２３】
【発明の効果】
以上説明したように、本発明の電子カセッテは、把手に変形又は移動手段又は着脱手段を設けたことにより、可搬性を損なうことなく、立位架台に装着しても操作性の優れた撮影が可能となる。
【００２４】
また、本発明の電子カセッテは、把手に変形又は移動手段又は着脱手段を設け、更には顎受け手段を備えたので、立位撮影で更に優れた操作性の良い撮影が可能となる。
【図面の簡単な説明】
【図１】第１の実施の形態の平面図である。
【図２】第１の実施の形態の平面図である。
【図３】第１の実施の形態の側面図である。
【図４】電子カセッテを立位架台に装着する状態を説明する平面図である。
【図５】第２の実施の形態の平面図である。
【図６】第３の実施の形態の平面図である。
【図７】第３の実施の形態の平面図である。
【図８】第３の実施の形態の側面図である。
【図９】第４の実施の形態の平面図である。
【図１０】第５の実施の形態の平面図である。
【図１１】第５の実施の形態の平面図である。
【図１２】第６の実施の形態の平面図である。
【図１３】第６の実施の形態の平面図である。
【図１４】第７の実施の形態の平面図である。
【図１５】第７の実施の形態の平面図である。
【図１６】電子カセッテの側面断面図である．
【図１７】システムの概念図である．
【符号の説明】
１　電子カセッテ
１ａ　電子カセッテの撮影面
１ｂ　電子カセッテの筐体
２　　把手
３　　立位架台
４　　顎受け
５　　アーム
６　　支柱
【図１】
2004077641.tif 000003
【図２】
2004077641.tif 000004
【図３】
2004077641.tif 000005
【図４】
2004077641.tif 000006
【図５】
2004077641.tif 000007
【図６】
2004077641.tif 000008
【図７】
2004077641.tif 000009
【図８】
2004077641.tif 000010
【図９】
2004077641.tif 000011
【図１０】
2004077641.tif 000012
【図１１】
2004077641.tif 000013
【図１２】
2004077641.tif 000014
【図１３】
2004077641.tif 000015
【図１４】
2004077641.tif 000016
【図１５】
2004077641.tif 000017
【図１６】
2004077641.tif 000018
【図１７】
2004077641.tif 000019